(57)【要約】  眼用処方箋を有する着用者に提供される眼用レンズの、近距離視に対する明確な近見視力を判定するための方法であって、方法は、−眼用レンズ提供ステップであって、その間に、少なくとも、近距離視に適合した平均度数を備える近距離視ゾーンを有する眼用レンズが着用者に提供される、眼用レンズ提供ステップと、−近見視タスク速度判定ステップであって、その間に、前記提供された眼用レンズを着用しているときの着用者による近見視タスクの処理速度が判定される、近見視タスク速度判定ステップと、を含み、改善された近見視タスク処理速度を提供する平均度数に対応する明確な近見視力を判定するために、眼用レンズ提供ステップ及び近見視タスク速度判定ステップが、異なる平均度数を有する眼用レンズで繰り返される。
2020519374.tif 000002
【特許請求の範囲】
【請求項１】
眼用処方箋を有する着用者に提供される眼用レンズの、近距離視に対する明確な近見視力を判定するための方法であって、前記方法は、
眼用レンズ提供ステップであって、その間に、少なくとも、近距離視に適合した平均度数を備える近距離視ゾーンを有する眼用レンズが着用者に提供される、眼用レンズ提供ステップと、
近見視タスク速度判定ステップであって、その間に、前記提供された眼用レンズを着用しているときの前記着用者による近見視タスク処理速度が判定される、近見視タスク速度判定ステップと、を含み、
改善された近見視タスク処理速度を提供する前記平均度数に対応する明確な近見視力を判定するために、前記眼用レンズ提供ステップ及び前記近見視タスク速度判定ステップが、異なる平均度数を有する眼用レンズで繰り返される、方法。
【請求項２】
前記眼用レンズ提供ステップの間に提供される前記眼用レンズは、単焦点眼用レンズである、請求項１に記載の方法。
【請求項３】
前記近距離は、２５ｃｍ〜６０ｃｍの間に含まれる、請求項１又は２のいずれか一項に記載の方法。
【請求項４】
前記第１の眼用レンズ提供ステップの間に前記着用者に提供される第１の少なくとも１つの眼用レンズは、近見視距離に対する前記着用者の処方箋に対応する球面度数を有し、前記眼用レンズ提供ステップを繰り返すときに、前記少なくとも１つの提供される眼用レンズは球面度数が次第に増大している、請求項１〜３のいずれか一項に記載の方法。
【請求項５】
前記近見視タスク速度判定ステップの間に、前記近見視距離が、前記着用者の処方箋の加入度の逆数に対応する、請求項１〜４のいずれか一項に記載の方法。
【請求項６】
前記近見視タスク速度判定ステップ、前記近見視距離が前記着用者によって適合される、請求項１〜４のいずれか一項に記載の方法。
【請求項７】
タスク処理条件は、前記近見視タスク速度判定ステップを繰り返すときと同じである、請求項１〜６のいずれか一項に記載の方法。
【請求項８】
前記方法は、前記第１の近見視タスク速度判定ステップの前に、タスク処理条件判定ステップであって、その間に、近見視距離に対する前記着用者の処方箋に対応する球面度数で前記着用者の前記処理速度を最小化するタスク処理条件が判定される、タスク処理条件判定ステップを更に含み、前記更なる近見視タスク速度判定ステップが、前記タスク処理条件で繰り返される、請求項１〜７のいずれか一項に記載の方法。
【請求項９】
前記近見視タスクは読み取りタスクである、請求項１〜８のいずれか一項に記載の方法。
【請求項１０】
前記読み取り速度判定ステップの間に前記着用者によって読み取られる全てのテキストが、同じコントラスト値及び／又は同じフォントサイズを有する、請求項９に記載の方法。
【請求項１１】
前記コントラスト値は、１１％以上、例えば１４％よりも大きく、且つ、１００％以下、例えば７０％以下である、請求項９又は１０のいずれか一項に記載の方法。
【請求項１２】
前記方法は、コントラストレベル判定ステップであって、その間に、１００％のコントラストでの視力に対して０．１ｌｏｇＭＡＲの前記視力の低下をもたらす前記コントラストが近距離視で判定される、コントラストレベル判定ステップを更に含み、前記読み取り速度判定ステップが、前記判定されたコントラストに等しいコントラストで実行される、請求項９〜１１のいずれか一項に記載の方法。
【請求項１３】
前記読み取り速度判定ステップの間に前記着用者によって読み取られる全てのテキストが、５〜１０語の間に含まれる、請求項９〜１２のいずれか一項に記載の方法。
【請求項１４】
前記方法は、近見視タスク速度閾値提供ステップであって、その間に、近見視タスク速度閾値が提供される、近見視タスク速度閾値提供ステップを更に含み、前記処理速度が前記近見視タスク速度閾値よりも大きくなるか、又は可能な限り近くなるまで、前記眼用レンズ提供ステップ及び前記近見視タスク速度判定ステップが繰り返される、請求項１〜１３のいずれか一項に記載の方法。
【請求項１５】
請求項１〜１４のいずれか一項に記載の方法によって判定された明確な近見視力に対応する平均度数を有する近見ゾーンを少なくとも含む、前記着用者の前記処方箋に対応する眼用レンズを注文するように適合された注文手段を備える、眼用レンズを注文するように適合された眼用レンズ注文システム。
【発明の詳細な説明】
【技術分野】
【０００１】
本発明は、眼用レンズの明確な近見視力を判定する方法、及び眼用レンズ注文方法に関する。
【背景技術】
【０００２】
通常、眼鏡を着用する必要があって、それゆえに眼科医又は検眼医が記入した処方箋を持っている人は眼鏡店に行く。眼鏡技師は、着用者の処方箋に対応する一対の光学レンズを注文する。
【０００３】
眼鏡技師に納品される一対の光学レンズは、光学基準に従って設計及び製造されている。
【０００４】
眼用レンズ分野における最近の進歩により、カスタマイズされた光学レンズの提供が可能になっており、このようなカスタマイゼーションは着用者の処方箋を超えている。一対の眼用レンズを設計及び製造する際に、着用者の処方箋よりも更なるパラメータを考慮することができる。
【０００５】
例えば、個人が、異なる方向を連続して見るときに、自身の目又は頭のいずれかを動かす傾向が異なり得ることが知られている。
【０００６】
そのような傾向は、眼用レンズを製造する際に重要となり得る。
【０００７】
米国特許出願公開第２０１０／０００２１９１号明細書に開示されているように、眼用レンズを製造する際の中心視の矯正と周辺視の矯正との間の妥協点を判定するために、そのような傾向を考慮に入れることができる。
【０００８】
しかしながら、近見視力は通常、遠見視力、及び人の年齢などの経験的データに基づいて判定される。
【０００９】
主観的テストは、人に近距離ターゲットを求めながら異なる近見視力を試させるように実行することができる。近見視力は、その人の選択に基づいて判定される。
【発明の概要】
【発明が解決しようとする課題】
【００１０】
設計と製造方法の進歩により、レンズ製造者はより正確な光学レンズを提供することができる。レンズ製造者が提供し得る光学レンズの精度は、処方箋の判定方法の精度のために完全には活用されていない。特に、近見視力を判定する方法である。
【００１１】
それゆえ、人に与えられる近見視力を判定するためのより正確な方法が必要とされている。
【００１２】
本発明の目的は、そのような方法を提供することである。
【課題を解決するための手段】
【００１３】
この目的のため、本発明は、眼用処方箋を有する着用者に提供される眼用レンズの、近距離視に対する明確な近見視力を判定するための方法を提案し、かかる方法は、
−眼用レンズ提供ステップであって、その間に、少なくとも、近距離視に適合した平均度数を備える近距離視ゾーンを有する眼用レンズが着用者に提供される、眼用レンズ提供ステップと、
−近見視タスク速度判定ステップであって、その間に、提供された眼用レンズを着用しているときの着用者による近見視タスクの処理速度が判定される、近見視タスク速度判定ステップと、を含み、
改善された近見視タスク処理速度を提供する平均度数に対応する明確な近見視力を判定するために、眼用レンズ提供ステップ及び近見視タスク速度判定ステップが、異なる平均度数を有する眼用レンズで繰り返される。
【００１４】
有利にも、本発明の方法は、明確な近見視力を人に提供することを改善することができる。
【００１５】
発明者らは、近見視タスク処理速度を改善する明確な近見視力を眼用レンズに提供することにより、人の全体的な快適さが改善されることを発見した。
【００１６】
以下の単独で又は組み合わせて考慮できる更なる実施形態によれば、
−方法は、眼用レンズ提供ステップの後に、近見視タスク距離判定ステップであって、その間に、近見視タスク距離が平均度数に基づいて判定される、近見視タスク距離判定ステップを更に含み、近見視タスク速度判定ステップの間に、判定された近見視タスク距離で着用者が近見視タスクを実行し、及び／又は、
−近見視タスク速度判定ステップの間に、着用者が近見視距離を調整し、及び／又は、
−眼用レンズ提供ステップの間に提供される眼用レンズが、単焦点眼用レンズであり、及び／又は、
−近距離が、２５ｃｍ〜６０ｃｍで構成され、及び／又は、
−第１の眼用レンズ提供ステップの間に着用者に提供される第１の少なくとも１つの眼用レンズは、近見視距離に対する着用者の処方箋に対応する球面度数を有し、眼用レンズ提供ステップを繰り返すときに、少なくとも１つの提供される眼用レンズは、球面度数が次第に増大しており、及び／又は、
−近見視タスク速度判定ステップの間に、近見視距離が、着用者の処方箋の加入度の逆数に対応し、及び／又は、
−近見視タスク速度判定ステップ、近見視距離が着用者によって適合され、及び／又は、
−近見視タスク速度判定ステップを繰り返すときに、タスク処理条件は同じであり、及び／又は、
−方法は、第１の近見視タスク速度判定ステップの前に、タスク処理条件判定ステップであって、その間に、近見視距離に対する着用者の処方箋に対応する球面度数で着用者の処理速度を最小化するタスク処理条件が判定される、タスク処理条件判定ステップを更に含み、更なる近見視タスク速度判定ステップが、そのようなタスク処理条件で繰り返され、
−近見視タスクが読み取りタスクであり、及び／又は、
−読み取り速度判定ステップの間に着用者によって読み取られる全てのテキストが、同じコントラスト値を有し、及び／又は、
−コントラスト値は、１１％以上、例えば１４％超、且つ、１００％以下、例えば７０％以下であり、及び／又は、
−方法は、コントラストレベル判定ステップであって、その間に、１００％のコントラストでの視力に対して０．１ｌｏｇＭＡＲの視力の低下をもたらすコントラストが近距離視で判定される、コントラストレベル判定ステップを更に含み、読み取り速度判定ステップが、判定されたコントラストに等しいコントラストで実行され、及び／又は、
−読み取り速度判定ステップの間に着用者によって読み取られる全てのテキストが、５〜１０語で構成され、及び／又は、
−読み取り速度判定ステップの間に着用者によって読み取られる全てのテキストが、同等に短くて複雑な文を含み、及び／又は、
−方法は、近見視タスク速度閾値提供ステップであって、その間に、近見視タスク速度閾値が提供される、近見視タスク速度閾値提供ステップを更に含み、処理速度が近見視タスク速度閾値よりも大きくなるか、又は可能な限り近くなるまで、眼用レンズ提供ステップ及び近見視タスク速度判定ステップが繰り返され、及び／又は、
−方法は、近見視タスク速度ゲイン提供ステップであって、その間に、近見視タスク速度ゲインが提供される、近見視タスク速度ゲイン提供ステップを更に含み、処理速度のゲインが近見視タスク速度ゲインよりも大きくなるか、又は可能な限り近くなるまで、眼用レンズ提供ステップ及び近見視タスク速度判定ステップが繰り返され、及び／又は、
−方法は、着用者に提供される一対の累進眼用レンズの明確な近見視力を判定するために適用され、一対の眼用レンズが眼用レンズ提供ステップにおいて着用者に提供され、全ての更なるステップが一対の眼用レンズに重要であり、及び／又は、
−明確な近見視力と、着用者の遠見視力の処方箋に対応する光学度数との差は、４ジオプタ以下である。
【００１７】
本発明は更に、プロセッサにアクセス可能な１つ以上の記憶された命令シーケンスを含むコンピュータプログラム製品に関し、命令が、プロセッサによって実行されると、少なくとも本発明に係る方法の近見視タスク速度判定ステップをプロセッサに実行させ、明確な近見視力を判定させる。
【００１８】
本発明はまた、プログラムが記録されたコンピュータ可読記憶媒体に関し、プログラムが、少なくとも本発明に係る方法の近見視タスク速度判定ステップをコンピュータに実行させ、明確な近見視力を判定させる。
【００１９】
本発明は更に、１つ以上の命令シーケンスを記憶し、少なくとも本発明に係る方法の近見視タスク速度判定ステップを実行して、明確な近見視力を判定するように適合されたプロセッサを備えるデバイスに関する。
【００２０】
本発明は更に、本発明に係る方法によって判定された明確な近見視力に対応する平均度数を有する近見ゾーンを少なくとも含む、着用者の処方箋に対応する眼用レンズを注文するように適合された注文手段を備える、眼用レンズを注文するように適合された眼用レンズ注文システムに関する。
【００２１】
本発明の実施形態を、単なる例として、以下の図面を参照してここに説明する。
【図面の簡単な説明】
【００２２】
【図１】図１は、本発明に従って表すフローチャートである。
【図２】図２は、本発明を実施するために使用され得るディスプレイデバイスの概略図である。
【発明を実施するための形態】
【００２３】
図面中の要素は、単純化及び明確化のために示されるもので、必ずしも縮尺通りに描かれていない。例えば、図面中の要素のいくつかの寸法は、本発明の実施形態の理解を改善するのを助けるために、他の要素に対して誇張されている場合がある。
【００２４】
本発明は、眼用処方箋を有する着用者に提供される眼用レンズの明確な近見視力を判定するための方法に関する。
【００２５】
老眼の人が小さな活字を読むことに不快感を示す場合、最も一般的に使用される解決策は、拡大効果を作成するために、しかし、正当化、質問、又は補完的手段なしに、２．５０Ｄよりも大きい加入度の累進レンズを提供することである。
【００２６】
そのような解決策は、可能な加入度（２．７５、３．００、３．２５、３．５０）の範囲によって制限され、常に最高の利益を提供するわけではない。
【００２７】
本発明の着想は、読み取りなどの着用者の近距離タスク能力を測定し、人に適合した明確な近見視力を判定することである。
【００２８】
本発明の方法は、眼用処方箋を有する着用者に提供される眼用レンズの、近距離視に対する明確な近見視力を判定することを可能にする。
【００２９】
本発明の意味において、処方箋とは、例えば着用者の目の前に配置されたレンズによって、個人の視覚障害を矯正するために、眼科医によって判定される、光学度数、乱視、及び関連する場合は加入度の光学特性のセットである。一般的に言うと、累進度数レンズの処方箋は、距離視点における光学度数と乱視の値、及び適切な場合は加入度値を含む。
【００３０】
図１に示すように、本発明に係る方法は少なくとも、
−眼用レンズ提供ステップＳ１と、
−近見視タスク速度判定ステップＳ４と、を含む。
【００３１】
眼用レンズ提供ステップＳ１の間、近見視に適合した平均度数を含む近見視距離ゾーンを有する眼用レンズが、テストする着用者に提供される。
【００３２】
一実施形態によれば、眼用レンズ提供ステップＳ１の間に提供される眼用レンズは、近見視に適合した単一の光学度数を有する単焦点眼用レンズである。有利にも、単焦点眼用レンズを提供することにより、本発明の方法の精度が増大する。
【００３３】
本発明の意味において、近見視距離は、２５ｃｍ〜６０ｃｍに含まれる距離に対応する。
【００３４】
眼用レンズを着用者に提供した後、着用者は、提供された眼用レンズを使用しながら近見視タスクを実行するように求められる。
【００３５】
本発明の意味において、近見視タスクとは、２５ｃｍ〜６０ｃｍに含まれる距離において着用者の視覚的注意を必要とするタスクである。近見視タスクは、読み取り、編み物、縫い物、書き取りのうちのいずれかに限定されるホワイトアウトであり得る。
【００３６】
近見視タスク速度判定ステップＳ４の間、その提供された眼用レンズを着用しているときの着用者によって近見視タスクの処理速度が判定される。
【００３７】
改善された近見視タスク処理速度を提供する平均度数に対応する明確な近見視力を判定するために、眼用レンズ提供ステップＳ１及び近見視タスク速度判定ステップＳ４が、異なる平均度数を有する眼用レンズで繰り返される。
【００３８】
本発明の一実施形態によれば、第１の眼用レンズ提供ステップの間に着用者に提供される第１の眼用レンズは、近見視距離に対する着用者の処方箋に対応する球面度数を有する。眼用レンズ提供ステップを繰り返すときに、提供される眼用レンズは、球面度数が次第に増大する。通常、眼用レンズを提供するステップを繰り返すと、球面度数は０．２５ジオプタ増大する。
【００３９】
図１に示すように、方法は、眼用レンズを提供ステップＳ１の後に、近見視タスク距離判定ステップＳ２を更に含むことができる。
【００４０】
近見視タスク距離判定ステップＳ２の間に、近見視タスク距離が平均度数に基づいて判定され、近見視タスク速度判定ステップの間に、判定された近見視タスク距離において着用者が近見視タスクを実行する。
【００４１】
例えば、近見視タスク速度判定ステップの間に、近見視距離が着用者の処方箋の加入度の逆数に対応する場合がある。
【００４２】
あるいは、近見視タスクを実行するときに、着用者が近見視タスク距離を調整してもよい。
【００４３】
方法の精度を高めるため、近見視タスク速度判定ステップの繰り返し時に、着用者は同じ条件で近見視タスクを実行するように求められる。例えば、文のタイプを読み取るときに、テキストのコントラスト、タイポのサイズ及びタイプは類似している。
【００４４】
図１に示すように、本発明の方法は、第１の近見視タスク速度判定ステップの前に、タスク処理条件判定ステップＳ３を更に含んでもよい。
【００４５】
タスク処理条件判定ステップＳ３の間に、近見視距離に対する着用者の処方箋に対応する球面度数で着用者の処理速度を最小化するタスク処理条件が判定される。
【００４６】
次いで、着用者は、判定されたタスク処理条件で近見視アクティビティを実行するように求められる。有利にも、着用者にそのような判定条件で近見視タスクを実行させることにより、本発明の方法の感度が増大する。
【００４７】
本発明の実施形態によれば、眼用レンズ提供ステップ及び近見視タスク速度判定ステップは、近見視タスク速度が所定量又は指定量だけ増大するまで繰り返される。
【００４８】
例えば、本発明に係る方法は、近見視タスク速度ゲイン提供ステップを含んでもよい。近見視タスク速度ゲイン提供ステップの間に、近見視タスク速度ゲインが提供され、処理速度のゲインが近見視タスク速度ゲインよりも大きくなるか、又は可能な限り近くなるまで、眼用レンズ提供ステップ及び近見視タスク速度判定ステップが繰り返される。
【００４９】
例えば、近見視タスク速度ゲインが２５％になるまで、眼用レンズ提供ステップ及び近見視タスク速度判定ステップが繰り返される。
【００５０】
本発明の方法は、近見視タスク速度閾値提供ステップを更に含んでもよい。
【００５１】
近見視タスク速度閾値提供ステップの間に、近見視タスク速度閾値が提供され、処理速度が近見視タスク速度閾値よりも大きくなるか、又は可能な限り近くなるまで、眼用レンズ提供ステップ及び近見視タスク速度判定ステップが繰り返される。
【００５２】
例えば、近見視タスク速度閾値は、毎秒５ワードであってもよい。それゆえ、近見視タスク速度ゲインが少なくとも毎秒５ワードになるまで、眼用レンズ提供ステップ及び近見視タスク速度判定ステップが繰り返される。
【００５３】
本発明を、近見視距離タスクとしての読み取りを用いてより詳細に説明する。
【００５４】
例えば、所与の時間、文が表示され、着用者はその文を読み取るように求められる。
【００５５】
適応型の手順又はステアケースを使用すると、着用者が表示された文を読むことができる最小表示時間に達するまで、異なる文の表示持続期間が短縮される。これは、着用者の最大読み取り速度を判定することと同等である。
【００５６】
そのような構成を使用して、異なる距離、度数、及びコントラストで読み取り速度を測定することによって、着用者の読み取り能力を改善する明確な近見視力の値を判定することができる。
【００５７】
発明者らは、図２に示される表示デバイスを用いて、近見視での読み取り速度の測定のためのデバイスをセットアップした。
【００５８】
この方法では、センテンスジェネレータを使用し、着用者が文を読むために必要な最小表示時間の閾値を判定する。
【００５９】
本発明で使用されるセンテンスジェネレータは、表示された文が真又は偽である確率が５０％になるように構成され、ディスプレイサイズ、フォント、ならびにコントラストを適合させることを可能にする。
【００６０】
好ましくは、読み取り速度判定ステップの間に着用者によって読み取られる全てのテキストは、同等に短くて複雑な文を含む。
【００６１】
本発明の一実施形態によれば、読み取り速度判定ステップの間に着用者によって読み取られる全てのテキストは、同じコントラスト値及び／又は同じフォントサイズを有する。
【００６２】
使用されるフォントは、サイズが１６のＴｉｍｅｓであってもよく、４０ｃｍに対して０．１４から、２８ｃｍに対して０．２９ｌｏｇＭＡＲまでの範囲の同等の視力を表す。
【００６３】
ディスプレイのコントラストは、１０％〜７０％の範囲にあってもよい。例えば、７０％、３９％、２５％、１４％、及び１１％のコントラストがテストされている。これらのコントラストは、コントラストが新聞、通知、雑誌などの異なるサポートで測定されたコントラストに対応するために選択された。
【００６４】
本発明の一実施形態によれば、方法は、コントラストレベル判定ステップであって、その間に、１００％のコントラストでの視力に対して０．１ｌｏｇＭＡＲの視力の低下をもたらすコントラストが近距離視で判定される、コントラストレベル判定ステップを更に含み、読み取り速度判定ステップが、判定されたコントラストに等しいコントラストで実行される。
【００６５】
本発明の一実施形態によれば、本発明の方法は、フォントサイズ判定ステップであって、その間に、着用者に表示されるテキストのフォントサイズが、例えば方法の間に使用されるコントラスト条件における、着用者の初期視力の測定に基づいて判定される、フォントサイズ判定ステップを更に含むことができる。
【００６６】
例えば、フォントサイズ判定ステップの間に、所与のコントラスト及び読み取り距離（通常は４０ｃｍ）に対して判定された視力に対して０．１ｌｏｇＭＡＲの視力の低下をもたらすフォントサイズが判定され、読み取り速度判定ステップが、全ての読み取り距離に対してその判定された同じフォントサイズを有するテキストで実行される。
【００６７】
本発明の方法を実施するときに、着用者の遠見視処方箋及び加入度に対応する光学度数を有するフォロプタを使用してもよい。
【００６８】
デバイスの適合は、典型的な読み取り状況を再現するという着想で実行することができる。このように、フォロプタを２２°傾けて、読み取り時に頭を低くさせてもよい。スクリーン自体はフォロプタのテストバーに取り付けることができるため、着用者の視軸に対して垂直となり、レンズの中心軸がスクリーン上の文の表示を遮断する。フォロプタは、着用者の瞳孔の逸脱からの近見視に対して、収束位置に配置されてもよい。このように配置すると、着用者は、頭を動かすことなく、フォロプタを介して表示される文全体を見ることができる。
【００６９】
本発明の方法を使用して、発明者らは、７０％、３９％、２５％、１４％、及び１１％の５つの異なるコントラストで、２３人のシニア着用者の読み取り速度、すなわち毎秒の単語数を測定した。実験用に選択されたレンズとスクリーンの距離は、２．５０、３．００〜３．５０Ｄの加入度に対応して４０ｃｍ、３３ｃｍ、及び２８ｃｍであった。
【００７０】
方法を実行するときに、発明者らは、デバイスの画面上に一連の２０の文を表示した。着用者らは、文を静かに読むように求められた。文がもはや表示されなくなると、着用者らは検証のために声を出して文を朗読するように求められ、方法を実行している専門家は、文が正しく朗読されたかどうかを検討すべきか否かを確認できた。文の表示時間は実験中に変化した。
【００７１】
発明者らは、着用者らが、弱いコントラストよりも強いコントラストに対して平均してより大きい読み取り速度を示すと判定した。例えば、７０％のコントラストで４０ｃｍにおいて、着用者らは平均して毎秒８ワードで読み取ったが、同じ距離において１１％のコントラストに対しては毎秒２ワードで読み取った。
【００７２】
更に、発明者らは、距離を縮めると読み取り速度が向上し、近見視力を増大させると判定した。例えば、７０％のコントラストで４０ｃｍにおいて、着用者らは平均して毎秒８ワードで読み取ったが、２８ｃｍにおいて７０％のコントラストに対しては平均して毎秒１３ワードで読み取った。
【００７３】
そのような結果は、着用者らが特に弱いコントラストに対して読み取り速度を獲得するため、明確な近見視力を提供するための本発明のアプローチを強化する。
【００７４】
有利なことに、本発明の方法は、着用者の両眼視力及び初期視力を考慮に入れることができる。
【００７５】
例えば、本発明の一実施形態によれば、方法は、着用者に提供される一対の累進眼用レンズの明確な近見視力を判定するために適用され、一対の眼用レンズが眼用レンズ提供ステップにおいて着用者に提供され、全ての更なるステップが一対の眼用レンズに重要である。
【００７６】
本発明を、一般的な発明概念を制限することなく、上述の実施形態を用いて説明してきたが、特に、取り付けられる感知デバイスは、ヘッドマウントデバイス限定されない。
【００７７】
前述の例示的な実施形態を参照すると、多くの更なる修正及び変形が当業者に示唆されるが、これらは例としてのみ与えられ、本発明の範囲を限定することを意図するものではなく、添付の請求項によってのみ判定されるものである。
【００７８】
請求項において、「備える」という語は他の要素又はステップを除外せず、不定冠詞「ａ」又は「ａｎ」は複数を除外しない。異なる特徴が相互に異なる従属請求項に列挙されているという単なる事実は、これらの特徴の組み合わせが有利に使用できないことを示してはいない。請求項におけるいかなる参照符号も、本発明の範囲を限定するものとして解釈されるべきではない。
【図１】
2020519374.tif 000003
【図２】
2020519374.tif 000004
【国際調査報告】
2020519374.tif 000005
2020519374.tif 000006
2020519374.tif 000007